(57)【要約】【課題】皮膚の温度の上昇を抑制し、かつ消費エネルギーを小さくできる除毛装置を提供する【解決手段】除毛装置１は、保護部２０および光源部３０を有する。保護部２０は、第１側壁２１、第２側壁２２、および収容空間２４を有する。第１側壁２１および第２側壁２２は、収容空間２４を形成する。第１側壁２１と第２側壁２２とは、収容空間２４を挟んで互いに対向する。収容空間２４は、外部と連通される。収容空間２４は髭が導入される。光源部３０は、光出口３３を有する。光源部３０は、光出口３３を介して第１側壁２１から第２側壁２２に光を照射する。光出口３３は、第２側壁２２と対向する。【選択図】図３
2014113408.tif 000002
【特許請求の範囲】
【請求項１】
光により体毛を除去する除毛装置であって、
前記除毛装置は、保護部および光源部を有し、
前記保護部は、周壁および収容空間を有し、
前記周壁は、第１側壁および第２側壁を有し、前記収容空間を形成し、
前記第１側壁と前記第２側壁とは、前記収容空間を挟んで互いに対向し、
前記収容空間は、外部と連通され、前記体毛が導入され、
前記光源部は、光出口を有し、前記光出口を介して前記第１側壁から前記第２側壁に光を照射し、
前記光出口は、前記第２側壁と対向する
除毛装置。
【請求項２】
前記光源部は、光方向調整部を有し、
前記光方向調整部は、前記光出口に取り付けられ、スリットが形成される
請求項１に記載の除毛装置。
【請求項３】
前記除毛装置は、反射部を有し、
前記反射部は、前記第２側壁のうち前記光出口と対向する部分に取り付けられる
請求項１または２に記載の除毛装置。
【請求項４】
前記保護部は、開口を有し、
前記開口は、前記保護部のうち前記収容空間が外部と連通する部分を示し、
前記除毛装置は、起毛部を有し、
前記起毛部は、前記開口に取り付けられ、体毛を皮膚から立ち上げる
請求項１〜３のいずれか一項に記載の除毛装置。
【請求項５】
前記除毛装置は、体毛検知部を有し、
前記体毛検知部は、前記収容空間に体毛が存在しているとき、体毛検知信号を出力し、前記光源部は、前記体毛検知信号が出力されたとき、光を照射する
請求項１〜４のいずれか一項に記載の除毛装置。
【請求項６】
前記除毛装置は、温度検知部を有し、
前記温度検知部は、前記収容空間に存在する皮膚の温度、または前記収容空間に存在する皮膚の温度と相関を有する温度を検知し、
前記光源部は、前記温度検知部により検知された温度が閾値以下のとき、光を照射する
請求項１〜５のいずれか一項に記載の除毛装置。
【請求項７】
前記温度検知部は、前記起毛部に取り付けられる
請求項４を引用する請求項６に記載の除毛装置。
【発明の詳細な説明】
【技術分野】
【０００１】
本発明は、光により体毛を除去する除毛装置に関する。
【背景技術】
【０００２】
特許文献１は、除毛装置の一例を開示している。図９は、特許文献１の除毛装置２００を示す。除毛装置２００は、毛嚢に光を照射して毛嚢に熱を付与することにより毛嚢を破壊する。除毛装置２００は、光源２１０、照射装置２２０、および光ファイバーケーブル２３０を有する。
【０００３】
光源２１０は、光を照射する。照射装置２２０は、光源２１０が照射した光を体毛に照射する。照射装置２２０は、体毛を有する皮膚の上方から皮膚に向けて光を照射する。照射装置２２０は、接触レンズ２２１および冷却装置２２２を有する。接触レンズ２２１は、体毛を有する皮膚と接触する。接触レンズ２２１は、照射された光を体毛に収束させる。冷却装置２２２は、接触レンズ２２１を冷却する。光ファイバーケーブル２３０は、光源２１０が照射した光を照射装置２２０に伝播する。
【先行技術文献】
【特許文献】
【０００４】
【特許文献１】特開２００６−５１３８８号公報
【発明の概要】
【発明が解決しようとする課題】
【０００５】
除毛装置２００は、冷却装置２２２により接触レンズ２２１を冷却することにより、皮膚の温度の上昇を抑制する。このため、除毛装置２００は、除毛のためのエネルギーの他に、冷却装置２２２を駆動するためのエネルギーを消費する。このため、除毛装置２００は、消費エネルギーを小さくすることが難しい。
【０００６】
本発明は、以上の背景をもとに創作されたものであり、皮膚の温度の上昇を抑制し、かつ消費エネルギーを小さくすることが可能な除毛装置を提供することを目的とする。
【課題を解決するための手段】
【０００７】
（１）本手段は、「光により体毛を除去する除毛装置であって、前記除毛装置は、保護部および光源部を有し、前記保護部は、周壁および収容空間を有し、前記周壁は、第１側壁および第２側壁を有し、前記収容空間を形成し、前記第１側壁と前記第２側壁とは、前記収容空間を挟んで互いに対向し、前記収容空間は、外部と連通され、前記体毛が導入され、前記光源部は、光出口を有し、前記光出口を介して前記第１側壁から前記第２側壁に光を照射し、前記光出口は、前記第２側壁と対向する除毛装置」を含む。
【０００８】
上記除毛装置は、光出口を介して第１側壁から第２側壁に光を照射する。このため、皮膚に直接的に光を照射する除毛装置と比較して、光源部から照射された光が皮膚に直接的に照射されにくい。このため、皮膚の温度が高くなりすぎることを抑制できる。また、皮膚を冷却する分の消費エネルギーが不要のため、除毛装置が必要な消費エネルギーを小さくすることができる。
【０００９】
（２）上記手段の一形態は、「前記光源部は、光方向調整部を有し、前記光方向調整部は、前記光出口に取り付けられ、スリットが形成される除毛装置」を含む。
（３）上記手段の一形態は、「前記除毛装置は、反射部を有し、前記反射部は、前記第２側壁のうち前記光出口と対向する部分に取り付けられる除毛装置」を含む。
【００１０】
（４）上記手段の一形態は、「前記保護部は、開口を有し、前記開口は、前記保護部のうち前記収容空間が外部と連通する部分を示し、前記除毛装置は、起毛部を有し、前記起毛部は、前記開口に取り付けられ、体毛を皮膚から立ち上げる除毛装置」を含む。
【００１１】
（５）上記手段の一形態は、「前記除毛装置は、体毛検知部を有し、前記体毛検知部は、前記収容空間に体毛が存在しているとき、体毛検知信号を出力し、前記光源部は、前記体毛検知信号が出力されたとき、光を照射する記載の除毛装置」を含む。
【００１２】
（６）上記手段の一形態は、「前記除毛装置は、温度検知部を有し、前記温度検知部は、前記収容空間に存在する皮膚の温度、または前記収容空間に存在する皮膚の温度と相関を有する温度を検知し、前記光源部は、前記温度検知部により検知された温度が閾値以下のとき、光を照射する記載の除毛装置」を含む。
【００１３】
（７）上記手段の一形態は、「前記温度検知部は、前記起毛部に取り付けられる除毛装置」を含む。
【発明の効果】
【００１４】
本除毛装置は、皮膚の温度の上昇を抑制し、かつ消費エネルギーを小さくできる。
【図面の簡単な説明】
【００１５】
【図１】実施形態の除毛装置の平面図。
【図２】実施形態の除毛装置の底面図。
【図３】実施形態の除毛装置に関する図であり、図１のＤ３−Ｄ３線に沿う断面構造を示す断面図。
【図４】実施形態の除毛装置の光源部に関する図であり、光源部の部分断面図。
【図５】実施形態の除毛装置に関する図であり、髭に光が照射されている状態を示す断面図。
【図６】実施形態の除毛装置により行われる光照射制御について、その処理手順を示すフローチャート。
【図７】その他の実施形態の除毛装置に関する図であり、光源部および保護部の構成を示す断面図。
【図８】その他の実施形態の除毛装置に関する図であり、光源部および保護部の構成を示す断面図。
【図９】従来の除毛装置の断面図。
【発明を実施するための形態】
【００１６】
図１および図２を参照して、除毛装置１の構成について説明する。
図１に示されるように、除毛装置１は、把持部１０および保護部２０を有する。除毛装置１は、髭に光を照射して髭を焼失させる。除毛装置１は、使用者が片手で把持できる大きさを有する。
【００１７】
把持部１０は、中空円柱の形状を有する。把持部１０は、使用者により把持される。把持部１０は、保護部２０に固定される。保護部２０は、光源部３０（図３参照）から照射された光が外部に漏れることを規制する。保護部２０は、中空円柱の形状を有する。図２に示されるように、保護部２０は底面の一部が開口する。
【００１８】
図３を参照して、除毛装置１の詳細な構成について説明する。
除毛装置１は、把持部１０および保護部２０の他に、光源部３０、髭検知部５０、制御部６０、および電源７０を有する。
【００１９】
把持部１０は、内部に光源部３０、制御部６０、および電源７０を収容する。
保護部２０は、第１側壁２１、第２側壁２２、上壁２３、収容空間２４、底壁２５、反射部２６、起毛部２７、および熱電対２８を有する。なお、第１側壁２１、第２側壁２２、上壁２３、および底壁２５は、「周壁」に相当する。
【００２０】
第１側壁２１は、収容空間２４を挟んで第２側壁２２と対向する。第１側壁２１は、第２側壁２２、上壁２３、および底壁２５と同一の材料により一体的に形成される。第１側壁２１には、光源部３０が取り付けられる。
【００２１】
第２側壁２２は、収容空間２４を挟んで第１側壁２１と対向する。第２側壁２２は、第１側壁２１、上壁２３、および底壁２５と同一の材料により一体的に形成される。第２側壁２２には、髭検知部５０の受光部５２が取り付けられる。
【００２２】
上壁２３は、第１側壁２１、第２側壁２２、および底壁２５と同一の材料により一体的に形成される。
収容空間２４は、第１側壁２１、第２側壁２２、上壁２３、および底壁２５により形成される。収容空間２４は外部と連通する。収容空間２４は、髭が導入される。
【００２３】
底壁２５は、開口２５Ａを有する。底壁２５は、第１側壁２１、第２側壁２２、および上壁２３と同一の材料により一体的に形成される。底壁２５は、使用者の皮膚と接触する。開口２５Ａは、使用者の皮膚に生えている髭を収容空間２４に導入する。
【００２４】
反射部２６は、光源部３０から収容空間２４に照射された光を反射する。反射部２６は、鏡により形成される。反射部２６は、第２側壁２２のうち、光源部３０と対向する位置に取り付けられる。
【００２５】
起毛部２７は、使用者の髭を皮膚から立ち上げる。起毛部２７は、開口２５Ａの端部に取り付けられる。起毛部２７は、開口２５Ａを横断する。起毛部２７は、樹脂材料により形成される。
【００２６】
熱電対２８は、収容空間２４に存在する皮膚の表面温度ＴＳを検知する。熱電対２８は、起毛部２７に取り付けられる。熱電対２８の端子（図示略）は、収容空間２４に存在する皮膚と接触する。なお、熱電対２８は、「温度検知部」に相当する。
【００２７】
光源部３０は、収容空間２４において第１側壁２１から第２側壁２２に光を照射する。光源部３０は、把持部１０および第１側壁２１に渡り取り付けられる。光源部３０は、収容空間２４を挟んで反射部２６と対向する。光源部３０は、制御部６０および電源７０と電気的に接続される。
【００２８】
髭検知部５０は、収容空間２４に存在している髭を検知する。髭検知部５０は、透過型の光電センサーが用いられる。髭検知部５０は、投光部５１および受光部５２を有する。なお、髭検知部５０は、「体毛検知部」に相当する。
【００２９】
投光部５１は、受光部５２に光を照射する。投光部５１は、収容空間２４を挟んで受光部５２と対向する。受光部５２は、投光部５１から照射された光を検知する。受光部５２は、第２側壁２２に取り付けられる。受光部５２は、収容空間２４を挟んで投光部５１と対向する。受光部５２は、制御部６０と電気的に接続される。受光部５２は、収容空間２４に髭が存在していることを検知したとき、制御部６０に髭検知信号を出力する。
【００３０】
制御部６０は、電源７０、光源部３０、および受光部５２と電気的に接続される。電源７０は、光源部３０、髭検知部５０、および制御部６０に電力を供給する。電源７０は、電池が用いられる。
【００３１】
図４を参照して、光源部３０の構成について説明する。
光源部３０は、本体３１、光源３２、光出口３３、および光方向調整部４０を有する。
本体３１は、中空円柱の形状を有する。本体３１は、内部に光源３２および投光部５１を収容する。
【００３２】
光源３２は、第１側壁２１から第２側壁２２に体毛照射光ＬＡを照射する。光源３２はキセノンランプが用いられる。体毛照射光ＬＡは、髭を焼ききる性質を有する。体毛照射光ＬＡは、６５０ｎｍ以上の波長を有する。体毛照射光ＬＡは、１００Ｊ／ｃｍ２のエネルギーを有する。
【００３３】
光出口３３は、本体３１のうち、光源３２と対向する部分に形成される。
光方向調整部４０は、光出口３３の面積を減少させる。光方向調整部４０は、調整部本体４１を有する。調整部本体４１は、光出口３３に取り付けられる。調整部本体４１には、スリット４２が形成される。スリット４２は、本体３１の中心軸Ｘよりも下方に形成される。スリット４２は、体毛照射光ＬＡが通過する。スリット４２は、投光部５１が照射する光ＬＢが通過する。
【００３４】
図５を参照して、除毛装置１の作用について説明する。
使用者は、除毛装置１の底壁２５を皮膚８０に押し付ける。このため、開口２５Ａを介して髭９０が収容空間２４に導入される。使用者は、底壁２５を皮膚８０と接触させた状態を維持しながら除毛装置１を皮膚８０に沿って少し移動させる。これにより、起毛部２７が髭９０を皮膚から立ち上げる。使用者は、除毛装置１の電源７０をオンにする。これにより、除毛装置１は、光照射制御を行う。光照射制御が行われた結果、光源部３０は、第１側壁２１から第２側壁２２に体毛照射光ＬＡを照射する。すなわち、光源部３０は、皮膚８０に対して平行な体毛照射光ＬＡを照射する。このため、収容空間２４に導入された髭９０が焼失する。
【００３５】
体毛照射光ＬＡのうち、髭９０を通過しなかった体毛照射光ＬＡＸは、反射部２６に到達する。反射部２６に到達した体毛照射光ＬＡＸは、反射部２６で反射する。このため、体毛照射光ＬＡＸは、第２側壁２２から第１側壁２１に照射される。
【００３６】
図６を参照して、光照射制御について説明する。
光照射制御は、使用者が除毛装置１の電源７０をオンにしたときに開始される。光照射制御は、光源部３０が所定の時間、体毛照射光ＬＡを照射したときに終了する。光照射制御は、使用者が電源７０をオンにするたびに繰り返し実行される。
【００３７】
ステップＳ１１において、電源７０は、髭検知部５０に電力を供給する。
ステップＳ１２において、投光部５１は受光部５２に光を照射する。
ステップＳ１３において、受光部５２は、受光量が基準値ＬＸ以下か否かを判定する。収容空間２４に髭が存在している場合、投光部５１が照射した光は髭を透過する。このため、受光部５２は、投光部５１が照射した光の量よりも少ない量の光を検知する。基準値ＬＸは、この原理を利用して、投光部５１が照射する光の量よりも低い値、かつ収容空間２４に髭が存在すると判断できる値として予め設定されている。
【００３８】
ステップＳ１３において、受光部５２は、受光量が基準値ＬＸ以下である旨判定したとき、ステップＳ１４において、制御部６０に髭検知信号を出力する。なお、ステップＳ１３において、受光部５２は、受光量が基準値ＬＸよりも大きい旨判定したとき、光照射制御は終了する。
【００３９】
ステップＳ１５において、制御部６０は、皮膚の表面温度ＴＳが基準温度ＴＳＸ以下か否かを判定する。基準温度ＴＳＸは、光源部３０が体毛照射光ＬＡを収容空間２４に照射することにより収容空間２４の温度が上昇しても、使用者の皮膚に負担がかかりにくい温度として予め設定されている。
【００４０】
ステップＳ１５において、制御部６０は、皮膚の表面温度ＴＳが、基準温度ＴＳＸ以下である旨判定したとき、ステップＳ１６において、光源部３０に照射開始信号を出力する。照射開始信号は、光源部３０の電源をオンにする信号を示す。光源部３０は、照射開始信号が入力されたとき、体毛照射光ＬＡを照射する。なお、ステップＳ１５において、制御部６０は、皮膚の表面温度ＴＳが、基準温度ＴＳＸよりも大きい旨判定したとき、光照射制御は終了する。
【００４１】
ステップＳ１７において、制御部６０は、照射時間ＴＩが基準照射時間ＴＩＸ以上か否かを判定する。照射時間ＴＩは、制御部６０が照射開始信号を光源部３０に出力してから経過した時間を示す。基準照射時間ＴＩＸは、収容空間２４に導入された髭を焼ききるために必要である標準的な時間として予め設定されている。
【００４２】
ステップＳ１７において、制御部６０は、照射時間ＴＩが基準照射時間ＴＩＸ以上である旨判定したとき、ステップＳ１８において、光源部３０に照射停止信号を出力する。照射停止信号は、光源部３０の電源をオフにする信号を示す。光源部３０は、照射停止信号が入力されたとき、体毛照射光ＬＡの照射を停止する。なお、ステップＳ１７において、制御部６０は、照射時間ＴＩが基準照射時間ＴＩＸ未満である旨判定したとき、光源部３０に対して照射停止信号を出力しない。このため、光源部３０は、体毛照射光ＬＡの照射を継続して行う。
【００４３】
除毛装置１は、以下の効果を奏する。
（１）除毛装置１は、光出口３３を介して第１側壁２１から第２側壁２２に体毛照射光ＬＡを照射する。このため、皮膚に直接的に体毛照射光ＬＡを照射する構成の除毛装置と比較して、光源部３０から照射された体毛照射光ＬＡが皮膚に直接的に照射されにくい。このため、皮膚の表面温度ＴＳが高くなりすぎることを抑制できる。また、皮膚を冷却する分の消費エネルギーが不要のため、除毛装置１が必要な消費エネルギーを小さくすることができる。
【００４４】
（２）光源部３０は、光方向調整部４０を有する。光方向調整部４０は、調整部本体４１を有する。調整部本体４１は、光出口３３に取り付けられる。調整部本体４１は、スリット４２が形成される。このため、光出口３３の面積を小さくできる。このため、光源部３０が照射する光のうち、第２側壁２２と対向しない方向に直進する光が光出口３３から照射されることを抑制できる。
【００４５】
（３）除毛装置１は、反射部２６を有する。反射部２６は、第２側壁２２に取り付けられる。このため、体毛照射光ＬＡのうち、髭９０を通過しなかった体毛照射光ＬＡＸは、反射部２６に到達する。反射部２６に到達した体毛照射光ＬＡＸは、反射部２６で反射する。このため、体毛照射光ＬＡＸは、第２側壁２２から第１側壁２１に照射される。このため、除毛装置を皮膚に対して移動させること等により、収容空間２４における髭９０の位置が変化したとき、体毛照射光ＬＡＸが髭９０に照射される可能性がある。このため、光源部３０が必要な消費エネルギーを抑制できる。
【００４６】
（４）除毛装置１は、起毛部２７を有する。起毛部２７は、髭９０を皮膚から立ち上げる。このため、髭９０が寝ている状態と比較して、立ち上がった髭９０が体毛照射光ＬＡの通路上に位置するとき、髭９０を除去することができる。
【００４７】
（５）起毛部２７は、開口２５Ａの端部に取り付けられる。起毛部２７は、円形の開口２５Ａを横断する。このため、開口２５Ａを介して収容空間２４に皮膚８０が導入されることを抑制できる。
【００４８】
（６）除毛装置１は、髭検知部５０を有する。髭検知部は、収容空間２４に髭９０が存在しているとき、髭検知信号を出力する。髭検知部５０が髭検知信号を出力したとき、光源部３０は、体毛照射光ＬＡを照射する。このため、収容空間２４に髭９０が存在しないときに体毛照射光ＬＡが照射されることを抑制できる。このため、光源部３０が必要な消費エネルギーを低減できる。
【００４９】
（７）除毛装置１は、熱電対２８を有する。熱電対２８は、収容空間２４に存在する皮膚の表面温度ＴＳを検知する。光源部３０は、熱電対２８により検知された温度が基準温度ＴＳＸ以下のとき、体毛照射光ＬＡを照射する。このため、皮膚の表面温度ＴＳが高くなりすぎることをよりいっそう抑制できる。
【００５０】
（８）熱電対２８は、起毛部２７に取り付けられる。このため、除毛装置１を小型化できる。
（その他の実施形態）
本除毛装置は、上記実施形態以外の実施形態を含む。以下、除毛装置のその他の実施形態としての上記実施形態の変形例を示す。なお、以下の各変形例は、互いに組み合わせることもできる。
【００５１】
・実施形態の除毛装置１は、髭９０に体毛照射光ＬＡを照射する。ただし、除毛装置１が体毛照射光ＬＡを照射する体毛は、髭に限られない。例えば、変形例の除毛装置は、胸毛等の体毛を除毛する。この場合、体毛照射光ＬＡの波長、照射エネルギー、およびその他のパラメーターは、対象とする体毛を除毛するために適した値に設定される。
【００５２】
・実施形態の除毛装置１は、光照射制御において、収容空間２４に髭が存在している旨判定したとき（第１条件）かつ、皮膚の表面温度ＴＳが基準温度ＴＳＸ以下である旨判定したとき（第２条件）に体毛照射光ＬＡを照射する。ただし、除毛装置１が、体毛照射光ＬＡを照射する条件はこれに限られない。例えば、変形例の除毛装置は、第１条件および第２条件の少なくとも一方が成立したときに、体毛照射光ＬＡを照射する。また、変形例の除毛装置１は、使用者が電源７０をオンにしたことのみを条件として体毛照射光ＬＡを照射する。
【００５３】
・実施形態の除毛装置１は、温度検知部としての熱電対２８を有する。熱電対２８は、皮膚の表面温度ＴＳを検出する。熱電対２８は、起毛部２７に取り付けられる。ただし、温度検知部の構成はこれに限られない。例えば、変形例の除毛装置は、温度計を有する。温度計は、収容空間２４の温度を検知する。収容空間２４の温度は、収容空間２４に存在する皮膚８０の温度と相関を有する。
【００５４】
・実施形態の光源部３０は、皮膚８０に対して平行な体毛照射光ＬＡを照射する。ただし、光源部３０が照射する体毛照射光ＬＡの方向はこれに限られない。例えば、変形例の光源部３０は、第１側壁２１から第２側壁と上壁２３との境界部分にむけて体毛照射光ＬＡを照射する。
【００５５】
・実施形態の光源３２は、第１側壁２１に取り付けられる。ただし、光源３２が取り付けられる位置は第１側壁２１に限定されない。例えば、図７に示すように、変形例の除毛装置は、光源３２が上壁２３に取り付けられる。この場合、光ファイバーケーブル１００が、第１側壁２１から挿入される。光ファイバーケーブル１００の光出口１１０は、第２側壁２２と収容空間２４を挟んで対向する。
【００５６】
また、図８に示すように、変形例の除毛装置の光ファイバーケーブル１００は、上壁２３から挿入される。光ファイバーケーブル１００は、第２側壁２２に向けて屈曲する。このため、光出口１１０は第２側壁２２と収容空間２４を挟んで対向する。
【符号の説明】
【００５７】
１…除毛装置、１０…把持部、２０…保護部、２１…第１側壁、２２…第２側壁、２３…上壁、２４…収容空間、２５…底壁、２５Ａ…開口、２６…反射部、２７…起毛部、２８…熱電対、３０…光源部、３１…本体、３２…光源、３３…光出口、４０…光方向調整部、４１…調整部本体、４２…スリット、５０…髭検知部、５１…投光部、５２…受光部、６０…制御部、７０…電源、８０…皮膚、９０…髭、１００…光ファイバーケーブル、１１０…光出口、２００…除毛装置、２１０…光源、２２０…照射装置、２２１…接触レンズ、２２２…冷却装置、２３０…光ファイバーケーブル。
【図１】
2014113408.tif 000003
【図２】
2014113408.tif 000004
【図３】
2014113408.tif 000005
【図４】
2014113408.tif 000006
【図５】
2014113408.tif 000007
【図６】
2014113408.tif 000008
【図７】
2014113408.tif 000009
【図８】
2014113408.tif 000010
【図９】
2014113408.tif 000011